(57)【要約】【課題】クレーンゲーム機に構成される景品把持装置の構造をより簡潔にしてクレーンゲーム機のコストダウンを図る。【解決手段】本発明に係るクレーンゲーム機は、景品把持装置１０が下方へ移動してアーム部材２０が景品もしくは景品室の底部を押圧すると、永久磁石５０に対する装置本体部材１１およびアーム部材２０の自重による作用が低下し、永久磁石５０が磁石付勢バネ５５の付勢力を受けて下方へ移動し非磁力発生位置に位置するとともに、磁気力に引き寄せられて可動片当接部４６に当接していた可動片３０が上下移動可能となって、アーム部材２０，２０がアーム付勢バネの付勢力を受けて内方へ揺動するように構成されている。【選択図】  図７
2004350948.tif 000002
【特許請求の範囲】
【請求項１】
内部に景品が載置された景品室と、前記景品室内に配設された景品把持装置と、前記景品把持装置を前記景品室内の所望位置に移動可能な移動装置とを備え、前記移動装置を用いて前記景品把持装置を前記景品室内の所望位置に移動させて前記景品把持装置の下方に位置する景品を把持するように構成されたクレーンゲーム機において、
前記景品把持装置は、
装置本体部材と、
前記装置本体部材に下方へ延びるとともに内外方へ揺動自在に設けられ、内方へ揺動させて前記景品を把持可能な複数のアーム部材と、
前記複数のアーム部材をそれぞれ内方へ揺動する方向に付勢するアーム付勢手段と、
前記複数のアーム部材と連結されて前記装置本体部材の下方に位置し、前記複数のアーム部材の外内方への揺動に伴って上下移動可能に構成された磁性体としての性質を有する可動片と、
前記装置本体部材の内部に収容保持されて下端部に前記可動片と当接可能な可動片当接部が設けられた磁気回路発生部材と、
前記磁気回路発生部材の内部に、前記可動片当接部に磁気力を伝達可能な磁気回路が生じる磁力発生位置と、前記可動片当接部への前記磁気力の伝達を規制可能な非磁力発生位置とに上下移動可能に収容された永久磁石と、
前記永久磁石を前記非磁力発生位置に向けて付勢する磁石付勢手段と、
前記移動装置に一端が上下移動可能に配設され、前記一端が前記永久磁石と連結されることで、前記景品把持装置が前記移動装置に対して上下移動可能に吊り下げ保持されるように構成された吊り下げ部材とを備え、
前記景品把持装置が下方へ移動して前記アーム部材が前記景品もしくは前記景品室の底部を押圧すると、前記永久磁石に対する前記装置本体部材および前記アーム部材の自重による作用が低下し、前記永久磁石が前記磁石付勢手段の付勢力を受けて下方へ移動し前記非磁力発生位置に位置するとともに、前記磁気力に引き寄せられて前記可動片当接部に当接していた前記可動片が上下移動可能となって、前記複数のアーム部材が前記アーム付勢手段の付勢力を受けて内方へ揺動するように構成されていることを特徴とするクレーンゲーム機。
【請求項２】
前記移動装置に前記装置本体部材と当接可能なストッパー部材が設けられており、
前記景品把持装置が上方へ移動して前記装置本体部材が前記ストッパー部材に当接すると、前記永久磁石が前記磁石付勢手段の付勢力に抗して前記吊り下げ部材に引き上げられ前記磁力発生位置に位置するとともに、前記可動片が前記可動片当接部に前記磁気回路を介して伝達された前記磁気力に引き寄せられて上方へ移動し前記可動片当接部に当接することで、前記複数のアーム部材が前記アーム付勢手段の付勢力に抗して外方へ揺動するように構成されていることを特徴とする請求項１に記載のクレーンゲーム機。
【請求項３】
前記磁気回路発生部材は、磁性体としての性質を有する筒状の第１回路構成部材と、前記第１回路構成部材の内側に重ねて設けられた非磁性体としての性質を有する筒状の非回路構成部材と、前記非回路構成部材の内側に重ねて設けられた磁性体としての性質を有する筒状の第２回路構成部材とを有し、
前記磁気回路発生部材の内側上部が前記磁力発生位置となるとともに内側下部が前記非磁力発生位置となって、前記磁力発生位置における内側面に前記第１回路構成部材と前記非回路構成部材と前記第２回路構成部材とがそれぞれ上から順に露出するように構成され、
前記永久磁石は、前記磁気回路発生部材の内側面と摺接可能な上部接触部および下部接触部を有する柱状に形成されており、
前記永久磁石が前記磁力発生位置に位置するときには、前記上部接触部が前記第１回路構成部材に接するとともに前記下部接触部が前記第２回路構成部材に接して前記磁気回路が生じ、
前記永久磁石が前記非磁力発生位置に位置するときには、前記永久磁石における前記上部接触部および前記下部接触部のみが前記第２回路構成部材に接するように構成されていることを特徴とする請求項１もしくは請求項２に記載のクレーンゲーム機。
【請求項４】
前記第２回路構成部材の内側露出面は、前記柱状の永久磁石の高さと略同一以上の高さを有することを特徴とする請求項３に記載のクレーンゲーム機。
【発明の詳細な説明】
【０００１】
【発明の属する技術分野】
本発明は、景品把持装置を用いて景品を掴み取るゲームを行うクレーンゲーム機に関する。
【０００２】
【従来の技術】
従来、この種のクレーンゲーム機としては、周囲を透明板で囲まれた景品室の内部に移動装置を用いて移動可能な景品把持装置や景品落下口が設けられるとともに、景品室の外部に景品落下口と連通した景品取出口や操作スイッチおよびコイン投入口が設けられたものが知られている。景品把持装置は、例えば、装置本体部材と、この装置本体部材に揺動自在に枢結された複数の（少なくとも一対の）アーム部材とを備え、装置本体部材の内部に配設されたモータやソレノイドなどの駆動装置を用いて、アーム部材が揺動開閉するように構成されたものが多く用いられている。
【０００３】
このようなクレーンゲーム機でゲームを行うには、遊技者がコイン投入口に所定金額のコインを投入して操作スイッチを操作する。この操作に応じて、景品把持装置が左右方向および前後方向に任意の位置まで移動したのち下降し、そこで景品把持装置のアーム部材が内方へ閉じる。そして、景品把持装置が上昇したのち景品落下口の上方位置まで移動し、アーム部材が外方へ開く。したがって、アーム部材が閉じた際にアーム部材の間で景品がうまく掴めていた場合には、景品は景品落下口に落下して景品取出口から出てくることになり、遊技者は景品を獲得できる。
【０００４】
【特許文献１】特開平１０−２９５９２８号公報
【特許文献２】特開平９−２８５６４０号公報
【０００５】
【発明が解決しようとする課題】
しかしながら、従来の景品把持装置は、前述したようにモータやソレノイドなどの駆動装置を用いてアーム部材を揺動させる構成のため、景品把持装置の構造が複雑となって故障が頻発したり、定期的に消耗部品の交換を行うなどによりクレーンゲーム機のコスト上昇を招いていた。
【０００６】
本発明はこのような問題に鑑みてなされたものであり、クレーンゲーム機に構成される景品把持装置の構造をより簡潔にしてクレーンゲーム機のコストダウンを図ることを目的とする。
【０００７】
【課題を解決するための手段】
このような目的達成のため、本発明に係るクレーンゲーム機は、内部に景品が載置された景品室と、景品室内に配設された景品把持装置と、景品把持装置を景品室内の所望位置に移動可能な移動装置とを備え、移動装置を用いて景品把持装置を景品室内の所望位置に移動させて景品把持装置の下方に位置する景品を把持するように構成されるとともに以下の特徴を有する。
【０００８】
すなわち、景品把持装置は、装置本体部材と、装置本体部材に下方へ延びるとともに内外方へ揺動自在に設けられ、内方へ揺動させて景品を把持可能な複数のアーム部材と、複数のアーム部材をそれぞれ内方へ揺動する方向に付勢するアーム付勢手段（例えば、本実施形態におけるアーム付勢バネ２５）と、複数のアーム部材と連結されて装置本体部材の下方に位置し、複数のアーム部材の外内方への揺動に伴って上下移動可能に構成された磁性体としての性質を有する可動片と、装置本体部材の内部に収容保持されて下端部に可動片と当接可能な可動片当接部が設けられた磁気回路発生部材と、磁気回路発生部材の内部に、可動片当接部に磁気力を伝達可能な磁気回路が生じる磁力発生位置と、可動片当接部への磁気力の伝達を規制可能な非磁力発生位置とに上下移動可能に収容された永久磁石と、永久磁石を非磁力発生位置に向けて付勢する磁石付勢手段（例えば、本実施形態における磁石付勢バネ５５）と、移動装置に一端が上下移動可能に配設され、一端が永久磁石と連結されることで、景品把持装置が移動装置に対して上下移動可能に吊り下げ保持されるように構成された吊り下げ部材とを備えて構成される。
【０００９】
そして、景品把持装置が下方へ移動してアーム部材が景品もしくは景品室の底部を押圧すると、永久磁石に対する装置本体部材およびアーム部材の自重による作用が低下し、永久磁石が磁石付勢手段の付勢力を受けて下方へ移動し非磁力発生位置に位置するとともに、磁気力に引き寄せられて可動片当接部に当接していた可動片が上下移動可能となって、複数のアーム部材がアーム付勢手段の付勢力を受けて内方へ揺動するように構成されている。
【００１０】
このような構成のクレーンゲーム機によれば、モータやソレノイドなどの駆動装置を用いずにアーム部材を内方へ揺動させることができるため、景品把持装置の構造をより簡潔にすることができ、クレーンゲーム機の製造コストを低減させることができる。しかも、磁石付勢手段としてバネを用いれば、永久磁石および磁石付勢手段は共に半永久的にその性質が変化することなく使用可能であるため、保守、点検の面から見てもコストを低減させることができる。
【００１１】
また、移動装置に装置本体部材と当接可能なストッパー部材が設けられており、景品把持装置が上方へ移動して装置本体部材がストッパー部材に当接すると、永久磁石が磁石付勢手段の付勢力に抗して吊り下げ部材に引き上げられ磁力発生位置に位置するとともに、可動片が可動片当接部に磁気回路を介して伝達された磁気力に引き寄せられて上方へ移動し可動片当接部に当接することで、複数のアーム部材がアーム付勢手段の閉（内）方向への付勢力に抗して外方へ揺動するように構成されていることが好ましい。
【００１２】
このようにすれば、モータやソレノイドなどの駆動装置を用いずにアーム部材を外方へ揺動させることができるため、景品把持装置の構造をより簡潔にすることができ、クレーンゲーム機の製造コストを低減させることができる。
【００１３】
さらに、磁気回路発生部材は、磁性体としての性質を有する筒状の第１回路構成部材と、第１回路構成部材の内側に重ねて設けられた非磁性体としての性質を有する筒状の非回路構成部材と、非回路構成部材の内側に重ねて設けられた磁性体としての性質を有する筒状の第２回路構成部材とを有し、磁気回路発生部材の内側上部が磁力発生位置となるとともに内側下部が非磁力発生位置となって、磁力発生位置における内側面に第１回路構成部材と非回路構成部材と第２回路構成部材とがそれぞれ上から順に露出するように構成され、永久磁石は、磁気回路発生部材の内側面と摺接可能な上部接触部および下部接触部を有する柱状に形成されており、永久磁石が磁力発生位置に位置するときには、上部接触部が第１回路構成部材に接するとともに下部接触部が第２回路構成部材に接して磁気回路が生じ、永久磁石が非磁力発生位置に位置するときには、永久磁石における上部接触部および下部接触部のみが第２回路構成部材に接するように構成されてもよい。
【００１４】
このようにすれば、磁気回路発生部材および永久磁石の構造が簡潔になるため、景品把持装置の構造をより簡潔にすることができ、クレーンゲーム機の製造コストを低減させることができる。
【００１５】
そして、さらに第２回路構成部材の内側露出面は、柱状に形成された永久磁石の高さと略同一以上の高さを有するように構成されてもよい。
【００１６】
このようにすれば、柱状の永久磁石の両極が第２回路構成部材の露出面に完全に接触するので、確実に磁界を閉じて可動片当接部への磁気力の伝達を規制することができる。
【００１７】
【発明の実施の形態】
以下、本発明の好ましい実施形態について図面を参照しながら説明する。本発明に係るクレーンゲーム機ＣＧＭを図１〜図３に示しており、まず、これらの図面を参照しながらクレーンゲーム機ＣＧＭの全体構成について要約説明する。ここで、図１はクレーンゲーム機ＣＧＭの斜視図、図２はクレーンゲーム機ＣＧＭの平断面図、そして図３はクレーンゲーム機ＣＧＭにおける前面扉３を開いた状態を示す正面図である。
【００１８】
クレーンゲーム機ＣＧＭは、ゲーム機本体１と、ゲーム機本体１の上に配設されて内部に多種の景品ＧＦ（図３を参照）が載置された景品室２とを主体に構成される。景品室２は、四方（前後左右）を透明板２ａ，２ａ，…で囲まれており、四方から景品室２内の景品ＧＦを認識できるようになっている。また、景品室２は、前面側において横開き開閉自在な前面扉２ｂを有して構成され、常には施錠装置３を利用して閉鎖施錠された状態でゲームに供される。
【００１９】
景品室２の内部には、図２に示すように、景品ＧＦを把持可能な景品把持装置１０と、景品把持装置１０を景品室２内で所望位置に移動させる移動装置４と、景品室２の底部左前方（図３を参照）に開口した景品落下口５とが設けられている。移動装置４は、景品把持装置１０を吊り下げ支持するとともに前後、左右、および上下の３方向に移動される、いわゆる天井クレーンと同様の動作をする一般的なものであり、ここでは詳細な図示および説明を省略する。
【００２０】
また、図１および図３に示すように、ゲーム機本体１の前面部分には、ゲーム機本体１の内部で景品落下通路６を介して景品落下口５と連通する景品取出口７と、移動装置４を操作するための左右操作スイッチ８ａおよび前後操作スイッチ８ｂと、コイン投入口９とが設けられている。
【００２１】
このような構成のクレーンゲーム機ＣＧＭにおいて、遊技者がコイン投入口９に所定金額のコインを投入するとゲームが開始される。まず、図２および図３に示すように、景品把持装置１０が景品落下口５の上方位置から右方へ移動し、景品把持装置１０が左右方向における所望位置に達したときに左右操作スイッチ８ａが操作される。そうすると、景品把持装置１０が一旦停止したのち停止位置から後方へ移動し、景品把持装置１０が前後方向における所望位置に達したときに前後操作スイッチ８ｂが操作される。このとき、景品把持装置１０が前後方向（および左右方向）における所望位置で停止して下降する。
【００２２】
このようにして、景品把持装置１０が左右方向および前後方向における所望位置まで移動したのち下降し、そこで景品把持装置１０に構成されるアーム部材２０，２０が内方へ閉じる（詳細は後述する）。そして、景品把持装置１０が所定の高さまで上昇したのち景品落下口５の上方位置まで移動し、景品落下口５の上方位置においてさらに景品把持装置１０が上昇してアーム部材２０，２０が外方へ開く（詳細は後述する）。したがって、アーム部材２０，２０が閉じた際にアーム部材２０，２０の間で景品ＧＦがうまく掴めていた場合には、景品ＧＦは景品落下口５に落下して（景品落下通路６を通過したのち）景品取出口７から出てくることになり、遊技者は景品ＧＦを獲得できる。
【００２３】
そこで、図４〜図７を参照しながら、景品把持装置１０について説明する。ここで、図４は景品把持装置１０の正面図、図５は景品把持装置１０に構成されるアーム部材２０が閉じた状態を示す正面図、図６は景品把持装置１０の正断面図（拡大図）、そして図７は景品把持装置１０におけるアーム部材２０が閉じた状態を示す正断面図（拡大図）である。
【００２４】
景品把持装置１０は、図４に示すように、装置本体部材１１と、装置本体部材１１に揺動可能に取り付けられた一対のアーム部材２０，２０と、これら一対のアーム部材２０，２０とそれぞれ連結された可動片３０と、装置本体部材１１の内部に収容保持された磁気回路発生部材４０と、磁気回路発生部材４０の内部に収容された永久磁石５０と、永久磁石５０と連結された吊り下げ部材６０とを主体に構成される。
【００２５】
装置本体部材１１は、図６および図７に示すように、ＡＢＳ樹脂等の非磁性体としての性質を有する樹脂材料を用いて、射出成形等の成形手段により下面側に開口を有する有底円筒状に一体成形される。装置本体部材１１の左右下部にはアーム取付部１２，１２が形成されており、支軸１３を用いてアーム部材２０が枢結されるようになっている。
【００２６】
装置本体部材１１の内部には、磁気回路発生部材４０の形状に合わせた部材収容部１４が形成されており、磁気回路発生部材４０がこの部材収容部１４に収容保持されるようになっている。さらに、部材収容部１４の上底部中央に繋がってバネ収容部１５が形成されており、詳細は後述する磁石付勢バネ５５が収容されるようになっている。また、装置本体部材１１の上部中央には貫通穴１６が形成されており、吊り下げ部材６０が通過できるようになっている。
【００２７】
一対のアーム部材２０，２０はそれぞれ、図４および図５に示すように、ステンレス材等の金属板材を用いて、切断、折り曲げ、孔あけなどの成形手段により鉤爪状に形成される。アーム部材２０の上端部にはアーム取付部２１が形成されており、前述したように、支軸１３を用いて装置本体部材１１のアーム取付部１２と枢結されるようになっている。これにより、一対のアーム部材２０，２０は、装置本体部材１１の下方へ延びて互いに対向した状態で、装置本体部材１１に内外方へ揺動可能に取り付けられ、一対のアーム部材２０，２０を内方へ揺動させて閉じることで景品ＧＦを把持することができる。
【００２８】
アーム部材２０の下端部には爪部２２が形成されており、一対のアーム部材２０，２０を内方へ揺動させた（閉じた）ときに景品ＧＦを把持し易いようになっている。アーム部材２０の上部にはアーム連結部２３が形成されており、上部連結ピン２８を用いて連結部材３５（詳細は後述する）と枢結されるようになっている。
【００２９】
アーム部材２０の中央部近傍にはバネ取付部２４が形成されており、アーム付勢バネ２５が取り付けられるようになっている。アーム付勢バネ２５は引張りコイルバネであり、両端が一対のアーム部材２０，２０におけるバネ取付部２４，２４にそれぞれ取り付けられて、一対のアーム部材２０，２０をそれぞれ内方へ揺動する方向に付勢する。
【００３０】
可動片３０は、各図に示すように、軟鉄やケイ素入り鋼板等の磁性体としての性質を有する金属板材を用いて、切断、折り曲げ、孔あけなどの成形手段により板状に形成され、必要に応じて所定の表面処理が施される。可動片３０の左右端部には可動片連結部３１，３１が形成されており、下部連結ピン３２，３２を用いて連結部材３５，３５とそれぞれ枢結されるようになっている。
【００３１】
連結部材３５は、ＡＢＳ樹脂等の樹脂材料を用いて射出成形等の成形手段により板状に一体成形される。そして、前述したように、連結部材３５の上部が上部連結ピン２８を用いてアーム部材２０のアーム連結部２３と枢結されるとともに、連結部材３５の下部が下部連結ピン３２を用いて可動片３０の可動片連結部３１と枢結されるようになっている。これにより、一対のアーム部材２０，２０と可動片３０とが連結部材３５および上下の連結ピン２８，３２を介して連結され、可動片３０は、装置本体部材１１の下方に位置した状態で、リンク機構により一対のアーム部材２０，２０の外内方への揺動に伴って上下移動可能になる。
【００３２】
磁気回路発生部材４０は、図６および図７に示すように、外側に位置する第１回路構成部材４１と、第１回路構成部材の内側に重ねて設けられた非回路構成部材４２と、非回路構成部材の内側に重ねて設けられた第２回路構成部材４３とを有して構成され、内部に永久磁石５０を収容可能な磁石収容部４５を有する筒状に形成される。
【００３３】
第１回路構成部材４１は、軟鉄やケイ素入り鋼板等の磁性体としての性質を有する金属材料を用いて筒状に形成され、必要に応じて所定の表面処理が施される。第１回路構成部材４１の上端部は内側へ延びて形成されており、磁気回路発生部材４０の内側面（すなわち、磁石収容部４５の内側面）に露出するようになっている。
【００３４】
非回路構成部材４２は、ＡＢＳ樹脂等の非磁性体としての性質を有する樹脂材料を用いて筒状に形成される。非回路構成部材４２の上端部は第１回路構成部材４１に沿って内側へ延びて形成されており、磁気回路発生部材４０の内側面（すなわち、磁石収容部４５の内側面）に露出するようになっている。
【００３５】
第２回路構成部材４３は、軟鉄やケイ素入り鋼板等の磁性体としての性質を有する金属材料を用いて筒状に形成され、必要に応じて所定の表面処理が施される。第１回路構成部材４１の内側面は、磁気回路発生部材４０の内側面（すなわち、磁石収容部４５の内側面）として露出するようになっており、これにより、磁気回路発生部材４０の内側面、すなわち磁石収容部４５の内側面において、第１回路構成部材２１と非回路構成部材４２と第２回路構成部材４３とがそれぞれ上から順に露出するようになっている。
【００３６】
なお、磁気回路発生部材４０は、装置本体部材１１の部材収容部１４に下面側が外部露出するように収容保持されており、磁気回路発生部材４０の下面側には可動片３０と当接可能な可動片当接部４６が形成される。
【００３７】
永久磁石５０は、図６および図７に示すように、磁気回路発生部材４０の内側面と摺接可能な上部接触部５１および下部接触部５２を有する括れた柱状に形成され、上部接触部５１および下部接触部５２が磁気回路発生部材４０（磁石収容部４５）の内側面と摺接した状態で、磁気回路発生部材４０の磁石収容部４５に上下移動可能に収容される。なお、永久磁石５０の上部がＮ極となり、下部がＳ極となっている。
【００３８】
そして、図６に示すように、永久磁石５０が磁石収容部４５の上部に位置すると、上部接触部５１が磁気回路発生部材４０の第１回路構成部材４１に接するとともに、下部接触部５２が磁気回路発生部材４０の第２回路構成部材４３に接するようになっている。このとき、磁力線は永久磁石５０の上部、すなわち永久磁石５０のＮ極から第１回路構成部材４１を通過し、永久磁石５０の下面側に設けられた可動片当接部４６および第２回路構成部材４３を通過して、永久磁石５０の下部、すなわち永久磁石５０のＳ極に達する。すなわち、永久磁石５０が磁石収容部４５の上部に位置すると、磁気回路発生部材４０の内部において可動片当接部４６に磁気力を伝達可能な磁気回路が生じるようになっており、磁石収容部４５の上部、すなわち磁気回路発生部材４０の内側上部が本発明に係る磁力発生位置となる。
【００３９】
一方、図７に示すように、永久磁石５０が磁石収容部４５の下部に位置すると、永久磁石５０における上部接触部５１および下部接触部５２のみが第２回路構成部材４３に接するようになっている。このとき、磁力線は永久磁石５０の上部（すなわち永久磁石５０のＮ極）から第２回路構成部材４３を通過して永久磁石５０の下部（すなわち永久磁石５０のＳ極）に達する。すなわち、永久磁石５０が磁石収容部４５の下部に位置すると、磁気回路発生部材４０の内部において可動片当接部４６への磁気力の伝達を規制可能な磁気回路が生じるようになっており、磁石収容部４５の下部、すなわち磁気回路発生部材４０の内側下部が本発明に係る非磁力発生位置となる。
【００４０】
なお、第２回路構成部材４３の内側露出面は、柱状に形成された永久磁石５０の高さと略同一以上の高さを有している。これにより、永久磁石５０の両極（上部接触部５１および下部接触部５２）が第２回路構成部材４３の露出面に完全に接触するので、確実に磁界を閉じて可動片当接部４６への磁気力の伝達を規制することができる。
【００４１】
また、永久磁石５０の上方に位置して、装置本体部材１１のバネ収容部１５に収容された磁石付勢バネ５５が配設されている。磁石付勢バネ５５は圧縮コイルバネであり、永久磁石５０の上面に当接して永久磁石５０を下方、すなわち磁気回路発生部材４０内の磁力発生位置から非磁力発生位置に向けて付勢する。
【００４２】
さて、永久磁石５０の上端部には吊り下げ部材６０の下端部が固定されており、永久磁石５０と吊り下げ部材６０とが連結されるようになっている。吊り下げ部材６０は、移動装置４に構成される巻き取り装置（図示せず）を利用して巻き取りもしくは繰り出しが行われるワイヤーであり、永久磁石５０と連結されることで景品把持装置１０が移動装置４に吊り下げ支持されるようになっている。そして、巻き取り装置を利用して吊り下げ部材６０を巻き取りもしくは繰り出しすることにより、景品把持装置１０が上下方向に移動するようになっている。
【００４３】
また、移動装置４の下面側にはストッパー部材６５が設けられており、景品把持装置１０が上方へ移動すると装置本体部材１１の上面が当接するようになっている。なお、ストッパー部材６５の中央には貫通穴６６が形成されており、吊り下げ部材６０が通過できるようになっている。
【００４４】
以上のように構成される景品把持装置１０において、永久磁石５０が磁気回路発生部材４０の内部において磁力発生位置に位置する状態でゲームが開始される。このとき、図６に示すように、磁気回路発生部材４０の内部において可動片当接部４６に磁気力を伝達可能な磁気回路が生じ、この磁気力に引き寄せられて可動片３０が（上方へ移動し）可動片当接部４６に当接して、図４に示すように、可動片３０と連結された一対のアーム部材２０，２０がアーム付勢バネ２５の付勢力に抗して外方へ揺動した（開いた）状態となっている。
【００４５】
なお、永久磁石５０が磁力発生位置に位置した状態では、磁石付勢バネ５５の付勢力が装置本体部材１１に対して上向き（永久磁石５０を磁気回路発生部材４０に対して下方へ相対移動させる方向に）に作用するが、景品把持装置１０（装置本体部材１１およびアーム部材２０等）の自重による力（例えば３０Ｎとする）と永久磁石５０を磁気回路発生部材４０に引きつける磁気力（例えば３０Ｎとする）との和が磁石付勢バネ５５の付勢力（例えば５０Ｎとする）より大きいため、永久磁石５０がそのまま磁力発生位置（磁石収容部４５の上部）に保持される。
【００４６】
景品把持装置１０が（左右方向および前後方向における）所望位置まで移動したのち下降し、アーム部材２０が景品ＧＦもしくは景品室２の底部を押圧すると、永久磁石５０および磁石付勢バネ５５に対する景品把持装置１０（装置本体部材１１およびアーム部材２０等）の自重による作用が低下する。このとき、景品把持装置１０（装置本体部材１１およびアーム部材２０等）の自重による力（例えば０Ｎとする）と永久磁石５０を磁気回路発生部材４０に引きつける磁気力（例えば３０Ｎとする）との和が磁石付勢バネ５５の付勢力（例えば５０Ｎとする）より小さくなって、図７に示すように、永久磁石５０が磁石付勢バネ５５の付勢力を受けて下方へ移動し非磁力発生位置に位置する。
【００４７】
そうすると、磁気回路発生部材４０の内部において可動片当接部４６への磁気力の伝達を規制可能な磁気回路が生じ、磁気力に引き寄せられて可動片当接部４６に当接していた可動片３０が上下移動可能となって、図５に示すように、可動片３０と連結された一対のアーム部材２０，２０がアーム付勢バネ２５の付勢力を受けて内方へ揺動する（閉じる）。これにより、モータやソレノイドなどの駆動装置を用いずにアーム部材２０，２０を内方へ揺動させる（閉じる）ことができるため、景品把持装置１０の構造をより簡潔にすることができ、クレーンゲーム機ＣＧＭの製造コストを低減させることができる。
【００４８】
アーム部材２０，２０が内方へ揺動する（閉じる）と、前述したように、景品把持装置１０は所定の高さまで上昇したのち景品落下口５の上方位置まで移動する。このとき、景品把持装置１０（装置本体部材１１およびアーム部材２０等）の自重による力に加えて景品ＧＦの自重による力が永久磁石５０および磁石付勢バネ５５に対して下向きに作用するが、永久磁石５０を磁気回路発生部材４０に引きつける磁気力（例えば３０Ｎとする）と磁石付勢バネ５５の付勢力（例えばバネが伸びて４０Ｎに変化したとする）との和が景品把持装置１０（装置本体部材１１およびアーム部材２０等）の自重による力（例えば３０Ｎとする）と景品ＧＦの自重による力（例えば３０Ｎとする）との和より大きいため、永久磁石５０がそのまま非磁力発生位置（磁石収容部４５の下部）に保持される。
【００４９】
景品把持装置１０が景品落下口５の上方位置まで移動すると、装置本体部材１１の上面がストッパー部材６５に当接するまで景品把持装置１０が上昇する。このとき、永久磁石５０が（巻き取り装置に巻き取られる）吊り下げ部材６０によりさらに引き上げられ、永久磁石５０を磁気回路発生部材４０に引きつける磁気力および磁石付勢バネ５５の付勢力に抗して磁力発生位置に位置する。
【００５０】
そうすると、磁気回路発生部材４０の内部において可動片当接部４６に磁気力を伝達可能な磁気回路が生じ、可動片３０が可動片当接部４６に伝達された磁気力に引き寄せられて上方へ移動し可動片当接部４６に当接することで、一対のアーム部材２０，２０がアーム付勢バネ２５の付勢力に抗して外方へ揺動する（開く）。これにより、モータやソレノイドなどの駆動装置を用いずにアーム部材２０，２０を外方へ揺動させることができるため、景品把持装置１０の構造をより簡潔にすることができ、クレーンゲーム機ＣＧＭの製造コストを低減させることができる。
【００５１】
この結果、以上のような構成のクレーンゲーム機ＣＧＭによれば、モータやソレノイドなどの駆動装置を用いずにアーム部材２０，２０を内外方へ揺動させることができるため、景品把持装置１０の構造をより簡潔にすることができ、クレーンゲーム機ＣＧＭの製造コストを低減させることができる。しかも、永久磁石５０および磁石付勢バネ５５は共に半永久的にその性質が変化することなく使用可能であるため、保守、点検の面から見てもコストを低減させることができる。
【００５２】
また、磁気回路発生部材４０が、第１回路構成部材４１と、第１回路構成部材の内側に重ねて設けられた非回路構成部材４２と、非回路構成部材の内側に重ねて設けられた第２回路構成部材４３とを有して構成されるとともに、永久磁石５０が磁気回路発生部材４０の内側面と摺接可能な上部接触部５１および下部接触部５２を有する柱状に形成されることで、磁気回路発生部材４０および永久磁石５０の構造が簡潔になるため、景品把持装置１０の構造をより簡潔にすることができ、クレーンゲーム機ＣＧＭの製造コストを低減させることができる。
【００５３】
さらに、第２回路構成部材４３の内側露出面が柱状に形成された永久磁石５０の高さと略同一以上の高さを有するため、永久磁石の両極（上部接触部５１および下部接触部５２）が第２回路構成部材４３の露出面に完全に接触するので、確実に磁界を閉じて可動片当接部４６への磁気力の伝達を規制することができる。
【００５４】
また、磁気回路発生部材４０の第１回路構成部材４１および可動片３０の材質として軟鉄やケイ素入り鋼板を用いることで、永久磁石５０が非磁力発生位置に位置して第１回路構成部材４１（可動片当接部４６）や可動片３０に磁気力が作用しなくなったときに、可動片３０および第１回路構成部材４１に磁性が残りにくいため、可動片３０の（可動片当接部４６から離れる）下方への移動、すなわちアーム部材２０，２０の内方への揺動をスムーズに行うことができる。
【００５５】
なお、上述の実施形態において、磁気回路発生部材４０が、第１回路構成部材４１と、第１回路構成部材の内側に重ねて設けられた非回路構成部材４２と、非回路構成部材の内側に重ねて設けられた第２回路構成部材４３とを有して構成されるとともに、永久磁石５０が磁気回路発生部材４０の内側面と摺接可能な上部接触部５１および下部接触部５２を有する柱状に形成されているが、これに限られるものではなく、永久磁石が磁気回路発生部材の内部に、可動片当接部に磁気力を伝達可能な磁気回路が生じる磁力発生位置と、可動片当接部への磁気力の伝達を規制可能な非磁力発生位置とに上下移動可能に収容されるように構成されていればよい。
【００５６】
また、上述の実施形態において、永久磁石５０が上部接触部５１および下部接触部５２を有する括れた柱状に形成されるとともに、磁気回路発生部材４０の第２回路構成部材４３が筒状に形成され、永久磁石５０が非磁力発生位置に位置すると永久磁石５０における上部接触部５１および下部接触部５２のみが第２回路構成部材４３に接するように構成されているが、これに限られるものではない。例えば、図８に示すように、永久磁石１５０が柱状に形成されるとともに、磁気回路発生部材１４０の第２回路構成部材１４３が逃げ部１４３ａを有する筒状に形成され、永久磁石１５０が非磁力発生位置に位置すると永久磁石１５０の上下端部に位置する上部接触部１５１および下部接触部１５２のみが第２回路構成部材１４３に接するように構成されてもよい。
【００５７】
なおこのとき、永久磁石１５０が磁力発生位置に位置すると、上部接触部１５１が磁気回路発生部材１４０の第１回路構成部材１４１に接するとともに、下部接触部１５２が第２回路構成部材４３に接し、さらには永久磁石１５０における上部接触部１５１と下部接触部１５２との中間部（外周面）が磁気回路発生部材１４０の非回路構成部材４２と接触した状態となる。
【００５８】
【発明の効果】
以上説明したように、本発明によるクレーンゲーム機によれば、モータやソレノイドなどの駆動装置を用いずにアーム部材を内外方へ揺動させることができるため、景品把持装置の構造をより簡潔にすることができ、クレーンゲーム機の製造コストを低減させることができる。しかも、磁石付勢手段としてバネを用いれば、永久磁石および磁石付勢手段は共に半永久的にその性質が変化することなく使用可能であるため、保守、点検の面から見てもコストを低減させることができる。
【００５９】
また、移動装置に装置本体部材と当接可能なストッパー部材が設けられており、景品把持装置が上方へ移動して装置本体部材がストッパー部材に当接すると、永久磁石が磁石付勢手段の付勢力に抗して吊り下げ部材に引き上げられ磁力発生位置に位置するとともに、可動片が可動片当接部に磁気回路を介して伝達された磁気力に引き寄せられて上方へ移動し可動片当接部に当接することで、複数のアーム部材がアーム付勢手段の閉（内）方向への付勢力に抗して外方へ揺動するように構成されていることが好ましい。
【００６０】
このようにすれば、モータやソレノイドなどの駆動装置を用いずにアーム部材を外方へ揺動させることができるため、景品把持装置の構造をより簡潔にすることができ、クレーンゲーム機の製造コストを低減させることができる。
【００６１】
さらに、磁気回路発生部材は、磁性体としての性質を有する筒状の第１回路構成部材と、第１回路構成部材の内側に重ねて設けられた非磁性体としての性質を有する筒状の非回路構成部材と、非回路構成部材の内側に重ねて設けられた磁性体としての性質を有する筒状の第２回路構成部材とを有し、磁気回路発生部材の内側上部が磁力発生位置となるとともに内側下部が非磁力発生位置となって、磁力発生位置における内側面に第１回路構成部材と非回路構成部材と第２回路構成部材とがそれぞれ上から順に露出するように構成され、永久磁石は、磁気回路発生部材の内側面と摺接可能な上部接触部および下部接触部を有する柱状に形成されており、永久磁石が磁力発生位置に位置するときには、上部接触部が第１回路構成部材に接するとともに下部接触部が第２回路構成部材に接して磁気回路が生じ、永久磁石が非磁力発生位置に位置するときには、永久磁石における上部接触部および下部接触部のみが第２回路構成部材に接するように構成されてもよい。
【００６２】
このようにすれば、磁気回路発生部材および永久磁石の構造が簡潔になるため、景品把持装置の構造をより簡潔にすることができ、クレーンゲーム機の製造コストを低減させることができる。
【００６３】
そして、さらに第２回路構成部材の内側露出面は、柱状に形成された永久磁石の高さと略同一以上の高さを有するように構成されてもよい。
【００６４】
このようにすれば、柱状の永久磁石の両極が第２回路構成部材の露出面に完全に接触するので、確実に磁界を閉じて可動片当接部への磁気力の伝達を規制することができる。
【図面の簡単な説明】
【図１】本発明に係るクレーンゲーム機の斜視図である。
【図２】クレーンゲーム機の平断面図である。
【図３】クレーンゲーム機における前面扉を開いた状態を示す正面図である。
【図４】クレーンゲーム機に構成される景品把持装置の正面図である。
【図５】景品把持装置に構成されるアーム部材が閉じた状態を示す正面図である。
【図６】景品把持装置の正断面図（拡大図）である。
【図７】景品把持装置におけるアーム部材が閉じた状態を示す正断面図（拡大図）である。
【図８】景品把持装置に構成される磁気回路発生部材および永久磁石の変形例を示す正断面図（拡大図）である。
【符号の説明】
ＣＧＭ  クレーンゲーム機
ＧＦ  景品
１  ゲーム機本体
２  景品室（２ａ  透明板、２ｂ  前面扉）
３  施錠装置
４  移動装置
５  景品落下口
６  景品落下通路
７  景品取出口
８ａ  左右操作スイッチ
８ｂ  前後操作スイッチ
９  コイン投入口
１０  景品把持装置
１１  装置本体部材
１２  アーム取付部
１３  支軸
１４  部材収容部
１５  バネ収容部
１６  貫通穴
２０  アーム部材
２１  アーム取付部
２２  爪部
２３  アーム連結部
２４  バネ取付部
２５  アーム付勢バネ
２８  上部連結ピン
３０  可動片
３１  可動片連結部
３２  下部連結ピン
３５  連結部材
４０  磁気回路発生部材
４１  第１回路構成部材
４２  非回路構成部材
４３  第２回路構成部材
４５  磁石収容部
４６  可動片当接部
５０  永久磁石
５１  上部接触部
５２  下部接触部
５５  磁石付勢バネ
６０  吊り下げ部材
６５  ストッパー部材
６６  貫通穴
１４０  磁気回路発生部材（変形例）
１４１  第１回路構成部材
１４２  非回路構成部材
１４３  第２回路構成部材（１４３ａ  逃げ部）
１５０  永久磁石（変形例）
１５１  上部接触部
１５２  下部接触部
【図１】
2004350948.tif 000003
【図２】
2004350948.tif 000004
【図３】
2004350948.tif 000005
【図４】
2004350948.tif 000006
【図５】
2004350948.tif 000007
【図６】
2004350948.tif 000008
【図７】
2004350948.tif 000009
【図８】
2004350948.tif 000010